(57)【要約】【課題】ガス漏れ検出時にガスメータへの遮断指示と集中監視センタ装置への通報を適切に行うことができるガス漏れ警報器を提供すること。【解決手段】ガス漏れ警報器（１）は、ガス漏れ検出に基づく遮断信号を受信して遮断弁（２４）によりガス遮断を行うと共に、ガス遮断を通報する遮断通報信号を集中監視センタ装置（３）へ送信するガスメータ（２）に通信可能に接続される。また、ガス漏れ検出時、遮断信号をガスメータ（２）に送信すると共に、遮断を伴わないガス漏れ通報信号をガスメータ（２）を介して集中監視センタ装置（３）へ送信する。【選択図】図１
2008287463.tif 000002
【特許請求の範囲】
【請求項１】
ガス漏れ検出に基づく遮断信号を受信して遮断弁によりガス遮断を行うと共に、前記ガス遮断を通報する遮断通報信号を集中監視センタ装置へ送信するガスメータに通信可能に接続されるガス漏れ警報器であって、
ガス漏れ検出時、前記遮断信号を前記ガスメータに送信すると共に、遮断を伴わないガス漏れ通報信号を前記ガスメータを介して前記集中監視センタ装置へ送信することを特徴とするガス漏れ警報器。
【請求項２】
請求項１記載のガス漏れ警報器において、
ガス漏れ検出時に前記遮断弁を駆動させるための遅延時間を予め設定する遅延時間設定手段と、
ガス漏れ検出時、前記ガス漏れ通報信号を送信すると共に前記遅延時間設定手段で予め設定された遅延時間経過後に前記遮断信号を送信する制御手段と、
を備えていることを特徴とするガス漏れ警報器。
【請求項３】
請求項１記載のガス漏れ警報器において、
ガス漏れ検出時に前記遮断弁を駆動させるための遅延時間を予め設定する遅延時間設定手段と、
ガス漏れ検出時、前記遅延時間設定手段で予め設定された遅延時間経過後に、前記ガス漏れ検出から前記遅延時間経過中連続して検出タイミング毎にガス漏れが検出された場合に前記遮断信号を送信し、連続しなかった場合に前記ガス漏れ通報信号を送信する制御手段と、
を備えていることを特徴とするガス漏れ警報器。
【請求項４】
請求項２または３に記載のガス漏れ警報器において、
前記ガス漏れ通報信号を電文形式で送信するための第１の電文と、前記遮断信号を電文形式で送信するための第２の電文を記憶する記憶手段をさらに備え、
前記制御手段は、ガス漏れ検出時、前記ガス漏れ通報信号として前記第１の電文を送信し、前記遮断信号として前記第２の電文を送信することを特徴とするガス漏れ警報器。
【請求項５】
ガス漏れ警報器と、前記ガス漏れ警報器と通信可能に接続され、前記ガス漏れ警報器よりガス漏れ検出に基づく遮断信号を受信して遮断弁によりガス遮断を行うガスメータと、前記ガスメータと通信可能に接続され、前記ガスメータより前記ガス遮断を通報する遮断通報信号を受信する集中監視センタ装置とからなるガス漏れ監視システムであって、
前記ガス漏れ警報器は、ガス漏れ検出時、前記遮断信号を前記ガスメータに送信すると共に、遮断を伴わないガス漏れ通報信号を前記ガスメータを介して前記集中監視センタ装置へ送信する制御手段を有し、
前記集中監視センタ装置は、前記ガス漏れ通報信号を受信した場合に、前記ガス漏れ検出の誤報と判定し、前記遮断通報信号を受信した場合に前記ガス漏れ検出の真報と判定する判定手段と、前記判定結果を記憶する記憶手段とを有する
ことを特徴とするガス漏れ監視システム。
【発明の詳細な説明】
【技術分野】
【０００１】
本発明は、ガス漏れ警報器およびガス漏れ監視システムに関するものである。
【背景技術】
【０００２】
ガス漏れ警報器は、燃料ガスや可燃性ガスの漏出を検出してガス漏れ警報を行うものであり、家庭用、業務用を問わず厨房や居室などで広く用いられている。ところで、近年では、家庭内等においてスプレータイプの殺虫剤等が多用されている。この殺虫剤は、ＬＰガスを主成分としたものが多い。そして、ガス漏れ警報器の近くで殺虫剤が使用されると、このスプレーガスにガス漏れ警報器のガスセンサが反応して警報を行ってしまうという誤警報が問題となっている。
【０００３】
そこで、従来は、殺虫剤などのスプレーによる誤報を防止するため、ガス漏れを検出した時、予め設定された遅延時間経過後に警報を発生するようにしたガス漏れ警報器が提案されている（たとえば、特許文献１参照。）。
【０００４】
また、従来、ガス漏れ警報器、ガスメータおよび集中監視センタ装置が通信可能に接続された集中監視システムもあるが、この集中監視システムでは、ガス漏れ警報器は、ガス漏れを検出した時、予め設定された遅延時間（たとえば、約３４秒）経過後もいまだにガス漏れを検出した場合には、ガスメータへ遮断信号を出力するようにしていた。この遮断信号は、たとえば、５秒間オン、５秒間オフの繰り返しの無電圧信号形式で送信されていた。ガス漏れ警報器から遮断信号を受信したガスメータは、内蔵の遮断弁によりガスを遮断すると同時に、集中監視センタ装置へ、ガス遮断した旨を表す遮断通報信号を電文形式で送信していた。
【特許文献１】特開２００３−２１７０５１号公報
【発明の開示】
【発明が解決しようとする課題】
【０００５】
上述の集中監視システムでは、ガス漏れを検出した時、予め設定された遅延時間（たとえば、約３４秒）経過後もいまだにガス漏れを検出した場合には、ガス漏れ検出の真報として、ガス漏れ警報を発すると共にガスメータへ遮断信号を出力していたが、殺虫剤のスプレーガス等の一過性ガスであって遅延時間経過までガス漏れ検出が継続しない場合は、ガス漏れ検出の誤報とみなし、ガス漏れ警報は行うが、遮断信号はガスメータへ送信しないようにしていた。
【０００６】
そのため、集中監視センタ装置へは、ガス漏れ検出の真報は遮断通報信号として送信されてくるが、ガス漏れ検出の誤報の場合には送信されてこないようになっていた。
【０００７】
しかしながら、集中監視センタ装置では、ガス漏れの誤報・真報を問わず、情報収集をすべきであり、誤報が多い場合には使用者への調査および取扱注意等の情報提供が必要であるが、一過性ガス等による誤報を情報収集することができず、ガス漏れが実態把握が正確にできない状況にあった。
【０００８】
そこで本発明は、上述した課題に鑑み、ガス漏れ検出時にガスメータへの遮断指示と集中監視センタ装置への通報を適切に行うことができるガス漏れ警報器およびガス漏れ監視システムを提供することを目的としている。
【課題を解決するための手段】
【０００９】
上記課題を解決するためになされた請求項１記載の発明のガス漏れ警報器は、ガス漏れ検出に基づく遮断信号を受信して遮断弁によりガス遮断を行うと共に、前記ガス遮断を通報する遮断通報信号を集中監視センタ装置へ送信するガスメータに通信可能に接続されるガス漏れ警報器であって、ガス漏れ検出時、前記遮断信号を前記ガスメータに送信すると共に、遮断を伴わないガス漏れ通報信号を前記ガスメータを介して前記集中監視センタ装置へ送信することを特徴とする。
【００１０】
請求項１記載の発明においては、ガス漏れ警報器は、ガス漏れ検出時、遮断信号をガスメータに送信すると共に、遮断を伴わないガス漏れ通報信号をガスメータを介して集中監視センタ装置へ送信する。それにより、ガス漏れ検出時にガスメータへの遮断指示と集中監視センタ装置への通報を適切に行うことができる。
【００１１】
上記課題を解決するためになされた請求項２記載の発明は、請求項１記載のガス漏れ警報器において、ガス漏れ検出時に前記遮断弁を駆動させるための遅延時間を予め設定する遅延時間設定手段と、ガス漏れ検出時、前記ガス漏れ通報信号を送信すると共に前記遅延時間設定手段で予め設定された遅延時間経過後に前記遮断信号を送信する制御手段と、を備えていることを特徴とする。
【００１２】
請求項２記載の発明においては、ガス漏れ警報器は、ガス漏れ検出時に遮断弁を駆動させるための遅延時間を予め設定する遅延時間設定手段と、ガス漏れ検出時、ガス漏れ通報信号を送信すると共に遅延時間設定手段で予め設定された遅延時間経過後に遮断信号を送信する制御手段とを備えている。それにより、ガス漏れが検出された際に、直ぐにガス漏れ通報信号を集中監視センタ装置へ送信し、遅延時間経過後に遮断信号をガスメータへ送信することができ、ガス漏れの真報に応じてガス遮断できると共に、ガス漏れの誤報および真報を集中監視センタ装置へ送信することができる。
【００１３】
上記課題を解決するためになされた請求項３記載の発明は、請求項１記載のガス漏れ警報器において、ガス漏れ検出時に前記遮断弁を駆動させるための遅延時間を予め設定する遅延時間設定手段と、ガス漏れ検出時、前記遅延時間設定手段で予め設定された遅延時間経過後に、前記ガス漏れ検出から前記遅延時間経過中連続して検出タイミング毎にガス漏れが検出された場合に前記遮断信号を送信し、連続しなかった場合に前記ガス漏れ通報信号を送信する制御手段と、を備えていることを特徴とする。
【００１４】
請求項３記載の発明においては、ガス漏れ警報器は、ガス漏れ検出時に遮断弁を駆動させるための遅延時間を予め設定する遅延時間設定手段と、ガス漏れ検出時、遅延時間設定手段で予め設定された遅延時間経過後に、ガス漏れ検出から遅延時間経過中連続して検出タイミング毎にガス漏れが検出された場合に遮断信号を送信し、連続しなかった場合にガス漏れ通報信号を送信する制御手段とを備えている。それにより、ガス漏れが検出された際に、遅延時間経過後に、ガス漏れの誤報を集中監視センタ装置へ送信するか、または遮断信号をガスメータに送信してガス遮断すると共にガス漏れの真報を集中監視センタ装置へ送信することができる。
【００１５】
上記課題を解決するためになされた請求項４記載の発明は、請求項２または３に記載のガス漏れ警報器において、前記ガス漏れ通報信号を電文形式で送信するための第１の電文と、前記遮断信号を電文形式で送信するための第２の電文を記憶する記憶手段をさらに備え、前記制御手段は、ガス漏れ検出時、前記ガス漏れ通報信号として前記第１の電文を送信し、前記遮断信号として前記第２の電文を送信することを特徴とする。
【００１６】
請求項４記載の発明においては、ガス漏れ警報器は、ガス漏れ通報信号を電文形式で送信するための第１の電文と、遮断信号を電文形式で送信するための第２の電文を記憶する記憶手段をさらに備えている。制御手段は、ガス漏れ検出時、ガス漏れ通報信号として第１の電文を送信し、遮断信号として第２の電文を送信する。それにより、ガス漏れ検出時にガス漏れ警報器からガスメータへ送信される信号を従来の無電圧オン−オフ信号から電文方式に変更したので、ガス漏れ警報器、ガスメータおよび集中監視センタ装置間の通信が、ガスメータに従来から適用されている電文方式に統一され、ガスメータは、たとえば遅延時間の異なる専用製品を準備することなく、従来から使用している製品を適用できる。
【００１７】
上記課題を解決するためになされた請求項５記載の発明のガス漏れ監視システムは、ガス漏れ警報器と、前記ガス漏れ警報器と通信可能に接続され、前記ガス漏れ警報器よりガス漏れ検出に基づく遮断信号を受信して遮断弁によりガス遮断を行うガスメータと、前記ガスメータと通信可能に接続され、前記ガスメータより前記ガス遮断を通報する遮断通報信号を受信する集中監視センタ装置とからなるガス漏れ監視システムであって、前記ガス漏れ警報器は、ガス漏れ検出時、前記遮断信号を前記ガスメータに送信すると共に、遮断を伴わないガス漏れ通報信号を前記ガスメータを介して前記集中監視センタ装置へ送信する制御手段を有し、前記集中監視センタ装置は、前記ガス漏れ通報信号を受信した場合に、前記ガス漏れ検出の誤報と判定し、前記遮断通報信号を受信した場合に前記ガス漏れ検出の真報と判定する判定手段と、前記判定結果を記憶する記憶手段とを有することを特徴とする。
【００１８】
請求項５記載の発明においては、ガス漏れ監視システムは、ガス漏れ警報器と、ガス漏れ警報器と通信可能に接続され、ガス漏れ警報器よりガス漏れ検出に基づく遮断信号を受信して遮断弁によりガス遮断を行うガスメータと、ガスメータと通信可能に接続され、ガスメータよりガス遮断を通報する遮断通報信号を受信する集中監視センタ装置とからなる。ガス漏れ警報器は、ガス漏れ検出時、遮断信号をガスメータに送信すると共に、遮断を伴わないガス漏れ通報信号をガスメータを介して集中監視センタ装置へ送信する制御手段を有する。集中監視センタ装置は、ガス漏れ通報信号を受信した場合に、ガス漏れ検出の誤報と判定し、遮断通報信号を受信した場合にガス漏れ検出の真報と判定する判定手段と、判定結果を記憶する記憶手段とを有する。それにより、ガス漏れ検出時にガスメータへの遮断指示と集中監視センタ装置への通報を適切に行うことができる。また、誤報・真報問わず、集中監視センタ装置側ではガス漏れ状況を正確に把握できる。
【発明の効果】
【００１９】
請求項１記載の発明によれば、ガス漏れ検出時にガスメータへの遮断指示と集中監視センタ装置への通報を適切に行うことができる。
【００２０】
請求項２記載の発明によれば、ガス漏れが検出された際に、直ぐにガス漏れ通報信号を集中監視センタ装置へ送信し、遅延時間経過後に遮断信号をガスメータへ送信することができ、ガス漏れの真報に応じてガス遮断できると共に、ガス漏れの誤報および真報を集中監視センタ装置へ送信することができる。
【００２１】
請求項３記載の発明によれば、ガス漏れが検出された際に、遅延時間経過後に、ガス漏れの誤報を集中監視センタ装置へ送信するか、または遮断信号をガスメータに送信してガス遮断すると共にガス漏れの真報を集中監視センタ装置へ送信することができる。
【００２２】
請求項４記載の発明によれば、ガス漏れ検出時にガス漏れ警報器からガスメータへ送信される信号を従来の無電圧オン−オフ信号から電文方式に変更したので、ガス漏れ警報器、ガスメータおよび集中監視センタ装置間の通信が、ガスメータに従来から適用されている電文方式に統一され、ガスメータは、たとえば遅延時間の異なる専用製品を準備することなく、従来から使用している製品を適用できる。
【００２３】
請求項５記載の発明によれば、ガス漏れ検出時にガスメータへの遮断指示と集中監視センタ装置への通報を適切に行うことができる。また、誤報・真報問わず、集中監視センタ装置側ではガス漏れ状況を正確に把握できる。
【発明を実施するための最良の形態】
【００２４】
以下、本発明の実施の形態について図面を参照して説明する。
【００２５】
図１は、本発明の実施の形態に係るガス漏れ警報器を適用して構成したガス漏れ監視システムの構成を示すブロック図である。ガス漏れ監視システムは、ガス漏れ警報器１、ガスメータ２および集中監視センタ装置３から構成される。ガス漏れ警報器１とガスメータ２は、有線または無線にて通信できるように接続されている。ガスメータ２と集中監視センタ装置３は、公衆電話回線等を介して通信できるように接続されている。
【００２６】
ガス漏れ警報器１は、家屋内の台所等に設置され、雰囲気中のガス濃度が予め定められたしきい値以上になったことを検出した場合に、ガス漏れと判定して警報を発し、ガス漏れ報知をおこなうものである。ガス漏れ警報器１は、制御部１１、ガスセンサ１２、警報部１３および通信部１４を有する。
【００２７】
制御部１１は、たとえば制御プログラムがインストールされたマイクロコンピュータで実現され、制御プログラムやデータが格納されたＲＯＭと、一時的にデータを記憶するＲＡＭと、制御プログラムを実行するＣＰＵとからなる。ＲＯＭには、集中監視センタ装置３へガス漏れ通報信号を電文形式で送信するための第１の電文と、ガスメータ２へ遮断信号を電文形式で送信するための第２の電文とが予め格納されている。ＣＰＵは、請求項における遅延時間設定手段および制御手段に相当し、ＲＯＭは、請求項における記憶手段に相当する。警報部１３は、図示しないが、警報表示を点滅等で行うＬＥＤや、警報音を発生するブザーまたはスピーカ等を含む。
【００２８】
ガスメータ２は、家屋内の台所等に設置されて使用される燃焼機器に供給されるガス量を積算計量して積算ガス使用量として表示するためのものである。ガスメータ２は、ガスメータ制御部２１、ガス流量検知部２２、表示部２３、遮断弁２４、通信部２５、通信部２６および電池２７から構成される。
【００２９】
ガスメータ制御部２１は、たとえば制御プログラムがインストールされたマイクロコンピュータで実現され、制御プログラムやデータが格納されたＲＯＭと、一時的にデータを記憶するＲＡＭと、制御プログラムを実行するＣＰＵとからなる。
【００３０】
ガス流量検知部２２は、たとえば超音波式流量計測手段からなり、ガス流路に沿って双方向に超音波を送出し、それぞれの伝播時間からガス流速を検出し、ガス流路の断面積との関係から瞬間ガス流量信号を出力する。電池２７は、ガスメータ制御部２１等の各部に電源電圧を供給する。
【００３１】
集中監視センタ装置３は、制御プログラムやデータが格納されたＲＯＭと、一時的にデータを記憶するＲＡＭと、制御プログラムを実行するＣＰＵとからなるマイクロコンピュータを備えている。集中監視センタ装置３は、ガスメータ２から送信される検針情報や遮断通報信号によりガスメータ２の状態を監視すると共に、ガス漏れ警報器１から送信されるガス漏れ通報信号とガスメータ２から送信される遮断通報信号とによりガス漏れを監視する。ＣＰＵは、請求項における判定手段に相当し、ＲＡＭは、請求項における記憶手段に相当する。
【００３２】
次に、上述の構成のガス漏れ監視システムの動作について図２〜図４に示すフローチャートを参照しながら説明する。図２は、ガス漏れ警報器１の制御部１１において、ＲＯＭに格納された制御プログラムにしたがってＣＰＵが実行する処理を示すフローチャートである。図３は、ガスメータ２のガスメータ制御部２１において、ＲＯＭに格納された制御プログラムにしたがってＣＰＵが実行する処理を示すフローチャートである。図４は、集中監視センタ装置３のＣＰＵが実行する処理を示すフローチャートである。
【００３３】
まず、ガス漏れ警報器１の動作を説明すると、図２に示すように、制御部１１のＣＰＵは、所定の検出タイミングでガス濃度を測定し、ガス漏れが検出されたか否かを判定する（ステップＳ１）。この判定は、ガスセンサ１２で検出された雰囲気中のガス濃度が予め定められたしきい値以上になった場合に、ガス漏れが検出されたと判定するものである。
【００３４】
ガス漏れが検出された場合は、次に、ＣＰＵは、警報部１３よりガス漏れ警報を発生させる（ステップＳ３）。次に、ＣＰＵは、第１の電文をＲＯＭから読出し（ステップＳ５）、次いで、読み出した第１の電文を通信部１４を介してガスメータ２へ送信する（ステップＳ７）。この第１の電文は、ガス漏れ警報器１でガス漏れが検出されたことを通報するガス漏れ通報信号を電文形式で表すものである。また、この第１の電文は、ガス漏れ監視中に検出タイミング毎に連続してガス漏れが検出された場合には、最初の検出時のみ送信される。
【００３５】
次に、ＣＰＵは、内蔵タイマのカウントによりステップＳ３のガス漏れ警報開始から予め設定された遅延時間（たとえば、３４秒）が経過したか否かを判定する（ステップＳ９）。予め設定された遅延時間が経過していなければ、次いでステップＳ３に戻り、経過していれば、次いで、ＣＰＵは、遅延時間経過後も未だガス漏れが検出されていれば第２の電文をＲＯＭから読出す（ステップＳ１１）。次に、ＣＰＵは、読み出した第２の電文を通信部１４を介してガスメータ２へ送信し（ステップＳ１３）、次いでステップＳ１に戻る。この第２の電文は、ガスメータ２の遮断弁２４を閉制御するための遮断指示を行う遮断信号を電文形式で表すものである。
【００３６】
次に、ガスメータ２の動作を説明すると、図３に示すように、ガスメータ制御部２１のＣＰＵは、まず、通信部２５を介してガス漏れ警報器１からの電文を受信したか否かを判定する（ステップＳ２１）。電文を受信していなければ、次いでステップＳ２１に戻り、受信していれば、次いで受信した電文が第１の電文なのか第２の電文なのかを判定する（ステップＳ２３）。この判定は、ガスメータ制御部２１のＲＯＭに予め格納されている、集中監視センタ装置３宛ての第１の電文とガスメータ２宛ての第２の電文を判別する電文判別テーブルに基づいて行われる。
【００３７】
ガス漏れ警報器１から受信した電文が集中監視センタ装置３宛ての第１の電文であると判定された場合は、次いで、ＣＰＵは、受信した第１の電文を即時に通信部２６を介して集中監視センタ装置３へ送信し（ステップＳ２５）、次いでステップＳ２１に戻る。
【００３８】
一方、ガス漏れ警報器１から受信した電文がガスメータ２宛ての第２の電文であると判定された場合は、次いで、ＣＰＵは、第２の電文に含まれている遮断指示に応じて、遮断弁２４を閉となるように制御し、ガス流路のガスの遮断を行う（ステップＳ２７）。次に、ＣＰＵは、第２の電文を遮断通報信号として通信部２６を介して集中監視センタ装置３へ送信し（ステップＳ２９）、次いでステップＳ２１に戻る。
【００３９】
次に、集中監視センタ装置３の動作を説明すると、図４に示すように、ＣＰＵは、まず、ガスメータ２からの電文を受信したか否かを判定する（ステップＳ４１）。電文を受信していなければ、次いでステップＳ４１に戻り、受信していれば、次いで受信した電文が第１の電文なのか第２の電文なのかを判定する（ステップＳ４３）。この判定は、ＲＯＭに予め格納されている、第１の電文と第２の電文を判別する電文判別テーブルに基づいて行われる。
【００４０】
ガスメータ２から受信した電文が第１の電文であると判定された場合は、次いで、ＣＰＵは、受信した第１の電文を、ガス漏れの誤報としてＲＡＭに記憶し（ステップＳ４５）、次いでステップＳ４１に戻る。
【００４１】
一方、ガスメータ２から受信した電文が第２の電文であると判定された場合は、次いで、ＣＰＵは、受信した第２の電文を、ガス漏れの真報としてＲＡＭに記憶し（ステップＳ４７）、次いでステップＳ４１に戻る。
【００４２】
以上説明したように、本発明によれば、ガス漏れ検出時にガス漏れ警報器１からガスメータ２へ送信される信号を従来の無電圧オン−オフ信号から電文方式に変更したので、ガス漏れが発生した際に、集中監視センタ装置３へガス漏れが発生した旨のガス漏れ通報信号を直ぐに送信することが可能となり、かつガスメータ２の遮断弁２４を駆動させるための遅延時間の設定はガス漏れ警報器１にて設定すれば良いので、ガスメータ２にて遮断信号を受信してから遮断までの遅延制御を行わせずに済む。また、ガス漏れ警報器１、ガスメータ２および集中監視センタ装置間の通信を、ガスメータ２に従来から適用されている電文方式に統一することで、ガスメータ２は、たとえば遅延時間の異なる専用製品を準備することなく、従来から使用している製品を適用できる。また、誤報・真報問わず、集中監視センタ装置３側では正確なガス漏れ状況を把握できる。
【００４３】
以上の通り、本発明の実施形態について説明したが、本発明はこれに限らず、種々の変形、応用が可能である。
【００４４】
たとえば、上述の実施の形態では、ガス漏れ警報器１からガスメータ２へ送信される電文は、集中監視センタ装置３に対する通報信号を含む第１の電文と、ガスメータ２に対する遮断制御信号を含む第２の電文としているが、これらに限らず、たとえば、警報停止を知らせる電文等の他の内容の電文をさらに送信するように構成しても良い。
【００４５】
また、上述の実施の形態では、ガス漏れ検出時、直ぐに第１の電文を送信し、遅延時間経過後に第２の電文を送信しているが、これに代えて、ガス漏れ検出時、遅延時間経過後に、ガス漏れ検出から遅延時間経過中連続して検出タイミング毎にガス漏れが検出された場合に第２の電文を送信し、連続しなかった場合に第１の電文を送信するように構成しても良い。
【００４６】
また、上述の実施の形態では、ガス漏れ通報信号および遮断通報信号を電文形式でガス漏れ警報器１からガスメータ２へ送信しているが、他の実施例として、ガス漏れ通報信号および遮断通報信号を異なる信号形態のオン／オフの無電圧信号としてガス漏れ警報器１からガスメータ２へ送信し、ガスメータ２および集中監視センタ装置３で異なる信号形態のオン／オフの無電圧信号からガス漏れ通報信号および遮断通報信号を識別するように構成しても良い。この場合、たとえば、遮断通報信号は、従来のように５秒オン、５秒オフの繰り返しの無電圧信号とし、ガス漏れ通報信号は、オン、オフの繰り返し周期の異なる無電圧信号とすれば良い。
【図面の簡単な説明】
【００４７】
【図１】本発明の実施の形態に係るガス漏れ警報器を適用して構成したガス漏れ監視システムの構成を示すブロック図である。
【図２】図１におけるガス漏れ警報器の制御部においてＣＰＵが実行する処理を示すフローチャートである。
【図３】図１におけるガスメータのガスメータ制御部においてＣＰＵが実行する処理を示すフローチャートである。
【図４】図１における集中監視センタ装置のＣＰＵが実行する処理を示すフローチャートである。
【符号の説明】
【００４８】
１    ガス漏れ警報器
２    ガスメータ
３    集中監視センタ装置
１１  制御部（ＣＰＵ（遅延時間設定手段および制御手段）、ＲＯＭ（記憶手段）およびＲＡＭを含む）
【図１】
2008287463.tif 000003
【図２】
2008287463.tif 000004
【図３】
2008287463.tif 000005
【図４】
2008287463.tif 000006